(57)【要約】      （修正有）【課題】蓄電素子とバスバとの連結及びその解除にかかる作業を簡便化できる蓄電装置の提供。【解決手段】外部端子２０，２１を有する蓄電素子２と、外部端子に接続されるバスバ３と、外部端子とバスバとを締結する締結部材４と、を備え、締結部材は、大径部及び軸状の雄ねじ部を有する雄ねじ部材と、雄ねじ部に螺合する雌ねじ部材と、を含み、外部端子及びバスバは、雄ねじ部を挿通可能に貫通した挿通部を有し、外部端子及びバスバの少なくとも何れか一方は、自身の外縁で挿通部の貫通する方向と直交する方向に開放し、雄ねじ部が自身の軸線を挿通部の貫通する方向に合わせた姿勢で通過可能な開放部と、挿通部と開放部とを連続させ、雄ねじ部が自身の軸線を挿通部の貫通する方向に合わせた姿勢で移動可能な接続部と、を有し、接続部は、雄ねじ部が開放部を通過する方向と交差する方向に延びる方向変換部を含む蓄電装置１。【選択図】図１
2018106849.tif 000002
【特許請求の範囲】
【請求項１】
外部端子を有する蓄電素子と、
前記外部端子に接続されるバスバと、
前記外部端子と前記バスバとを締結する締結部材と、を備え、
前記締結部材は、
大径部及び該大径部から延出した軸状の雄ねじ部を有する雄ねじ部材と、
前記雄ねじ部に螺合する雌ねじ部材と、を含み、
前記外部端子及び前記バスバは、
前記雄ねじ部を挿通可能に貫通した挿通部を有し、
前記外部端子及び前記バスバの少なくとも何れか一方は、
自身の外縁で前記挿通部の貫通する方向と直交する方向に開放し、前記雄ねじ部が自身の軸線を前記挿通部の貫通する方向に合わせた姿勢で通過可能な開放部と、
前記挿通部と前記開放部とを連続させ、前記雄ねじ部が自身の軸線を挿通部の貫通する方向に合わせた姿勢で前記開放部と前記挿通部との間を移動可能な接続部と、を有し、
前記接続部は、前記雄ねじ部が前記開放部を通過する方向と交差する方向に延びる方向変換部を含む、
蓄電装置。
【請求項２】
前記接続部は、前記開放部と前記方向変換部とを連続させ且つ前記雄ねじ部が前記開放部を通過する方向と同方向に延びる連続部をさらに含む、
請求項１に記載の蓄電装置。
【請求項３】
前記蓄電素子は、
電極体と、
該電極体を収容したケースと、を更に備え、
前記外部端子は、前記ケースの外面から突出し、
前記挿通部は、前記開放部よりも前記ケース側に位置している、
請求項１又は２に記載の蓄電装置。
【請求項４】
前記外部端子及び前記バスバは、前記開放部及び前記接続部を有し、前記外部端子と前記バスバとが重ね合わされた状態で、前記外部端子又は前記バスバの何れか一方における前記挿通部、前記開放部、及び前記接続部と、前記外部端子又は前記バスバの何れか他方における前記挿通部及び前記接続部の少なくとも一部とが一致する
請求項１乃至３の何れか１項に記載の蓄電装置。
【発明の詳細な説明】
【技術分野】
【０００１】
本発明は、複数の蓄電素子を備えた蓄電装置に関する。
【背景技術】
【０００２】
従来から、電池モジュールが提供されている。図２４及び図２５に示すように、電池モジュール５は、複数の電池５０を列置して構成されている。
【０００３】
電池５０は、直方体形状をなす電池容器本体５００ａ及びこれを閉塞する封口蓋５００ｂからなる電池ケース５００、この電池ケース５００内に収容された発電要素（図示しない）、正極端子部材５０１及び負極端子部材５０２等から構成されている。
【０００４】
正極端子部材５０１は、電池ケース５００の外部に露出して配置される正極端子露出部（採番しない）、電池ケース５００の内部に配置される正極側ケース内配置部（図示しない）、及び、これらの間に位置する正極封止部（採番しない）を有する一体の部材である。正極端子露出部は、端子部軸線に直交する断面が扁平状である正極扁平端子部５０１ａを含む。正極扁平端子部５０１ａは、表扁平面及びこれの反対側に位置する裏扁平面を有している。正極扁平端子部５０１ａには、表扁平面及び裏扁平面の中央部分をそれぞれ貫通し、電池５０同士を連結するために用いるバスバ６０との接続のためのボルト７０ａを挿通させる貫通孔Ｈが穿孔されている（図２５参照）。
【０００５】
負極端子部材５０２は、電池ケース５００の外部に露出して配置される負極端子露出部（採番しない）、電池ケース５００の内部に配置される負極側ケース内配置部（図示しない）、及び、これらの間に位置する負極封止部（採番しない）を有する一体の部材である。負極端子露出部は、端子部軸線に直交する断面が扁平状である負極扁平端子部５０２ａを含む。負極扁平端子部５０２ａは、表扁平面及びこれの反対側に位置する裏扁平面を有している。負極扁平端子部５０２ａには、表扁平面及び裏扁平面の中央部分をそれぞれ貫通し、電池５０同士を連結するために用いるバスバ６０との接続のためのボルト７０ａを挿通させる貫通孔Ｈが穿孔されている（図２５参照）。
【０００６】
バスバ６０は、金属からなり、第一接続部６００及びこれに平行な第二接続部６０１、及び、これらを結ぶ連結部６０２を有する。第一接続部６００には、第一貫通孔Ｈ１が穿孔されている。第二接続部６０１には、第二貫通孔Ｈ２が穿孔されている。
【０００７】
そして、隣り合って配置された電池５０のうち、一の電池５０の正極扁平端子部５０１ａと他の電池５０の負極扁平端子部５０２ａとをバスバ６０で接続することにより、各電池５０が、互いに直列に連結されている。
【０００８】
具体的には、バスバ６０の第一接続部６００と電池５０の正極扁平端子部５０１ａとが当接され、座金（図示しない）を挿通したボルト７０ａが正極扁平端子部５０１ａの貫通孔Ｈ及び第一接続部６００の第一貫通孔Ｈ１に挿通されている。このボルト７０ａはナット７０ｂと螺合され、第一接続部６００と正極扁平端子部５０１ａとが締結されている。
【０００９】
また、バスバ６０の第二接続部６０１と電池５０の負極扁平端子部５０２ａとが当接され、座金（図示しない）を挿通したボルト７０ａが負極扁平端子部５０２ａの貫通孔Ｈ及び第二接続部６０１の第二貫通孔Ｈ２に挿通されている。このボルト７０ａはナット７０ｂと螺合され、第二接続部６０１と負極扁平端子部５０２ａとが締結されている（例えば、特許文献１参照）。
【００１０】
ところで、上記構成の電池モジュール５では、端子部材（正極扁平端子部５０１ａ、負極扁平端子部５０２ａ）とバスバ６０とを連結させる際、端子部材（正極扁平端子部５０１ａ、負極扁平端子部５０２ａ）及びバスバ６０の貫通孔Ｈ，Ｈ１，Ｈ２にボルト７０ａを挿通した上で、該ボルト７０ａにナット７０ｂを螺合しなければならない。これとは逆に、端子部材（正極扁平端子部５０１ａ、負極扁平端子部５０２ａ）とバスバ６０との連結を解除する際、ボルト７０ａに対するナット７０ｂの螺合を解除し、ボルト７０ａからナット７０ｂを完全に取り外さなければならない（図２５参照）。
【００１１】
そのため、上記構成の電池モジュール５では、電池５０（正極端子部材或いは負極端子部材）とバスバ６０との連結やその解除にかかる作業が繁雑である。
【先行技術文献】
【特許文献】
【００１２】
【特許文献１】特開２００８−９８０１２号公報
【発明の概要】
【発明が解決しようとする課題】
【００１３】
本実施形態は、蓄電素子とバスバとの連結及びその解除にかかる作業を簡便化できる蓄電装置を提供することを課題とする。
【課題を解決するための手段】
【００１４】
本実施形態に係る蓄電装置は、外部端子を有する蓄電素子と、外部端子に接続されるバスバと、外部端子とバスバとを締結する締結部材と、を備え、締結部材は、大径部及び大径部から延出した軸状の雄ねじ部を有する雄ねじ部材と、雄ねじ部に螺合する雌ねじ部材と、を含み、外部端子及びバスバは、雄ねじ部を挿通可能に貫通した挿通部を有し、外部端子及びバスバの少なくとも何れか一方は、自身の外縁で挿通部の貫通する方向と直交する方向に開放し、雄ねじ部が自身の軸線を挿通部の貫通する方向に合わせた姿勢で通過可能な開放部と、挿通部と開放部とを連続させ、雄ねじ部が自身の軸線を挿通部の貫通する方向に合わせた姿勢で開放部と挿通部との間を移動可能な接続部と、を有し、接続部は、雄ねじ部が開放部を通過する方向と交差する方向に延びる方向変換部を含む。なお、接続部の構成部位（方向変換部等）の特定に関し、特定した方向に「延びる」としているが、この「延びる」とは、各部位が特定した方向で長手になっていることを意味するものではなく、長短に関係なく特定した方向に形成されていることを意味する。すなわち、接続部の構成部位（方向変換部等）に関して「延びる」とは、構成部位の中心線が特定した方向に延びるように、構成部位が形成されていることを意味する。
【００１５】
上記構成によれば、雄ねじ部に雌ねじ部材を螺合させた状態（雄ねじ部材に雌ねじ部材を組み付けた状態）で、雄ねじ部材の大径部と雌ねじ部材との間にある雄ねじ部が、自身の軸線を挿通部の貫通する方向に合わせ姿勢で、外部端子及びバスバの少なくとも何れか一方における開放部から接続部を介して挿通部に到達する。従って、雄ねじ部が挿通部に到達した状態で雌ねじ部材を締め付けることで、雄ねじ部材の大径部と雌ねじ部材とが外部端子及びバスバを挟み込み、外部端子及びバスバが締結される。
【００１６】
この状態において、雌ねじ部材の締め付けを弛めると、雄ねじ部の移動が許容された状態になり、雌ねじ部材を螺合させた雄ねじ部は、挿通部から接続部及び開放部を介して取り外される。
【００１７】
従って、雄ねじ部に対する雌ねじ部材の螺合を完全に解除することなく（雄ねじ部から雌ねじ部材を完全に取り外すことなく）、外部端子とバスバとの連結及びその解除を行うことができる。
【００１８】
さらに、上記構成によれば、接続部は、雄ねじ部が開放部を通過する方向に対して交差する延びる方向変換部を含むため、雄ねじ部が挿通部に位置する状態において、雌ねじ部材の締め付けが弛んだとしても、雄ねじ部材（雄ねじ部）が不用意に開放部に向けて移動してしまうことが防止される。すなわち、開放部と挿通部との間の雄ねじ部の移動経路である接続部が、開放部と挿通部との間で直線的にならないため、雄ねじ部が挿通部から開放部に向けて移動しようとしても、その移動が阻止される。これにより、締結部材（雄ねじ部材及び雌ねじ部材）の脱落が防止される。
【００１９】
接続部は、開放部と方向変換部とを連続させ且つ雄ねじ部が開放部を通過する方向と同方向に延びる連続部をさらに含んでもよい。このようにすれば、雄ねじ部材の雄ねじ部の移動経路である接続部が屈曲した態様になり、挿通部に位置する雄ねじ部が開放部に向けて移動することがより確実に防止される。
【００２０】
蓄電素子は、電極体と、該電極体を収容したケースと、を更に備え、外部端子は、ケースの外面から突出し、挿通部は、開放部よりもケース側に位置している、ことが好ましい。
【００２１】
このようにすれば、ケースが外部端子よりも下側に位置するように蓄電素子が配置された場合、雄ねじ部の雄ねじ部（挿通部に到達した雄ねじ部）は、上方側にある開放部から下方にある挿通部に落とし込まれた状態になり、雄ねじ部材が定常的な挿通部（位置）で維持する。
【００２２】
外部端子及びバスバは、開放部及び接続部を有し、外部端子とバスバとが重ね合わされた状態で、外部端子又はバスバの何れか一方における挿通部、開放部、及び接続部と、外部端子又はバスバの何れか他方における挿通部及び接続部の少なくとも一部とが一致することが好ましい。このようにすれば、外部端子及びバスバを締結するとき、及びその締結を解除するときに、雄ねじ部材の雄ねじ部が、重ね合わされた外部端子及びバスバの接続部及び開放部（重ね合わされて一致した外部端子及びバスバにおける雄ねじ部の移動経路）を移動（通過）する。従って、締結部材全体（雄ねじ部に雌ねじ部材を螺合させた状態のもの）が操作されるため、作業時におけるハンドリング性が良好となる。
【発明の効果】
【００２３】
以上より、本実施形態によれば、蓄電素子とバスバとの連結及びその解除にかかる作業を簡便化できるという優れた効果を奏し得る。
【図面の簡単な説明】
【００２４】
【図１】図１は、本実施形態に係る蓄電装置の斜視図である。
【図２】図２は、同実施形態に係る蓄電装置の分解斜視図である。
【図３】図３は、同実施形態に係る蓄電素子の全体斜視図である。
【図４】図４は、同実施形態に係る正極外部端子の周辺の部分拡大断面図である。
【図５】図５は、同実施形態に係る負極外部端子の周辺の部分拡大断面図である。
【図６】図６は、同実施形態に係るバスバの正面図である。
【図７】図７は、同実施形態に係る蓄電装置の部分拡大図であって、蓄電素子の外部端子及びバスバを含む部分拡大図である。
【図８】図８は、同実施形態に係る蓄電装置の部分拡大図であって、蓄電素子の外部端子及びバスバを含む部分拡大図である。
【図９】図９は、他実施形態に係る蓄電装置の部分拡大図であって、蓄電素子の外部端子及びバスバを含む部分拡大図である。
【図１０】図１０は、別の実施形態に係る蓄電装置の部分拡大図であって、蓄電素子の外部端子及びバスバを含む部分拡大図である。
【図１１】図１１は、さらに別の実施形態に係るバスバの正面図である。
【図１２】図１２は、同実施形態に係る蓄電装置の部分拡大図であって、蓄電素子の外部端子及びバスバを含む部分拡大図である。
【図１３】図１３は、同実施形態に係る蓄電装置の部分拡大図であって、蓄電素子の外部端子及びバスバを含む部分拡大図である。
【図１４】図１４は、さらに別の実施形態に係る蓄電素子の全体斜視図である。
【図１５】図１５は、同実施形態に係る蓄電装置の斜視図である。
【図１６】図１６は、同実施形態に係る蓄電装置の分解斜視図である。
【図１７】図１７は、同実施形態に係るバスバの正面図である。
【図１８】図１８は、同実施形態に係るバスバの正面図である。
【図１９】図１９は、同実施形態に係る蓄電装置の部分拡大図であって、蓄電素子の外部端子及びバスバを含む部分拡大図である。
【図２０】図２０は、同実施形態に係る蓄電装置の部分拡大図であって、蓄電素子の外部端子及びバスバを含む部分拡大図である。
【図２１】図２１は、さらに別の実施形態に係る蓄電装置の部分拡大図であって、蓄電素子の外部端子及びバスバを含む部分拡大図である。
【図２２】図２２は、さらに別の実施形態に係る蓄電装置の部分拡大図であって、蓄電素子の外部端子及びバスバを含む部分拡大図である。
【図２３】図２３は、さらに別の実施形態に係る蓄電装置の部分拡大図であって、蓄電素子の外部端子及びバスバを含む部分拡大図である。
【図２４】図２４は、従来の電池モジュールの斜視図である。
【図２５】図２５は、従来の電池モジュールの分解斜視図である。
【発明を実施するための形態】
【００２５】
以下、本発明の一実施形態に係る蓄電装置について、添付図面を参照しつつ説明する。
【００２６】
図１及び図２に示すように、蓄電装置１は、外部端子２０，２１を有する蓄電素子２と、外部端子２０，２１に接続されるバスバ３と、外部端子２０，２１とバスバ３とを締結する締結部材４と、を備える。具体的には、本実施形態の蓄電装置１は、一列に並ぶ複数の蓄電素子２と、それぞれが隣り合う蓄電素子２の外部端子２０，２１同士を接続する複数のバスバ３と、外部端子２０，２１とバスバ３とを締結する複数の締結部材４と、を備える。
【００２７】
蓄電素子には、二次電池、キャパシタ等がある。本実施形態では、蓄電素子の一例として、充放電可能な二次電池について説明する。尚、本実施形態の各構成部材（各構成要素）の名称は、本実施形態におけるものであり、背景技術における各構成部材（各構成要素）の名称と異なる場合がある。
【００２８】
本実施形態の蓄電素子２は、非水電解質二次電池である。より詳しくは、蓄電素子２は、リチウムイオンの移動に伴って生じる電子移動を利用したリチウムイオン二次電池である。この種の蓄電素子２は、電気エネルギーを供給する。
【００２９】
蓄電素子２は、図３に示すように、外部端子２０，２１に加え、電極体２２と、該電極体２２を収容したケース２３と、を更に有する。具体的には、蓄電素子２は、電極体２２と、電極体２２に導通可能に接続される集電体２４，２５と、外面及び内面を有し、電極体２２及び集電体２４，２５を収容する内部空間を内面で画定したケース２３と、ケース２３内の集電体２４，２５に導通可能に接続され、ケース２３の外面から突出した外部端子２０，２１と、を備える。
【００３０】
電極体２２は、正極（図示しない）と、負極（図示しない）と、を含む。より具体的には、電極体２２は、正極と、正極に重ね合わされた負極と、正極と負極との間に配置されたセパレータ（図示しない）と、を含む。本実施形態において、正極、負極、及びセパレータの重ね合わされた積層体が電気絶縁性を有する巻芯の周囲に巻回されている。
【００３１】
集電体２４，２５は、ケース２３内に配置され、電極体２２及び外部端子２０，２１に導通可能に接続される。本実施形態の蓄電素子２は、一対の集電体２４，２５を備える。一方の集電体２４は、電極体２２の正極に接続される正極集電体であり、他方の集電体２５は、電極体２２の負極に接続される負極集電体である。
【００３２】
集電体２４，２５は、導電性を有し且つ溶接性の高い金属材料によって形成される。例えば、一方の集電体（正極集電体）２４は、アルミニウム又はアルミニウム合金等のアルミニウム系金属材料によって形成され、他方の集電体（負極集電体）２５は、銅又は銅合金等の銅系金属材料によって形成される。
【００３３】
ケース２３は、電解液に耐性を有する金属によって形成される。本実施形態のケース２３は、例えば、アルミニウム、又は、アルミニウム合金等のアルミニウム系金属材料によって形成されている。
【００３４】
ケース２３は、開口を有するケース本体２３０と、ケース本体２３０の開口を塞ぐ（閉じる）蓋板２３１と、を有する。
【００３５】
ケース本体２３０は、板状の閉塞部２３２と、閉塞部２３２の周縁に接続される筒状の胴部２３３と、を備える。
【００３６】
閉塞部２３２は、ケース本体２３０が開口を上に向けた姿勢で配置されたときにケース本体２３０の下端に位置する（即ち、開口が上を向いたときのケース本体２３０の底壁となる）部位である。閉塞部２３２は、該閉塞部２３２の面直交方向から見て、矩形状である。
【００３７】
以下では、蓄電素子２が蓄電装置１を構成した状態（蓄電素子２が蓄電装置１の一構成として配置された姿勢）を基準として、閉塞部２３２の長辺の延びる方向をＸ軸方向とし、閉塞部２３２の短辺の延びる方向をＹ軸方向とし、閉塞部２３２と面直交する方向（Ｘ軸方向及びＹ軸方向のそれぞれと直交する方向）をＺ軸方向とする。これに伴い、各図面に、Ｘ軸方向、Ｙ軸方向、及びＺ軸方向のそれぞれに対応する直交座標軸を補助的に図示する。
【００３８】
胴部２３３は、角筒形状、より詳しくは、偏平な角筒形状を有する。胴部２３３は、閉塞部２３２の周縁における長辺から延びる一対の長壁部２３３ａ，２３３ａと、閉塞部２３２の周縁における短辺から延びる一対の短壁部２３３ｂ，２３３ｂと、を有する。
【００３９】
一対の長壁部２３３ａ，２３３ａは、Ｙ軸方向に間隔（詳しくは、閉塞部２３２の周縁における短辺の長さに相当する間隔）を空けて対向し、一対の短壁部２３３ｂ，２３３ｂは、Ｘ軸方向に間隔（詳しくは、閉塞部２３２の周縁における長辺の長さに相当する間隔）を空けて対向する。Ｙ軸方向における短壁部２３３ｂ，２３３ｂの両端部は、一対の長壁部２３３ａ，２３３ａの対応する端部に接続される。これにより、角筒状の胴部２３３が形成される。すなわち、ケース本体２３０は、開口方向（Ｚ軸方向）における一方の端部が塞がれた角筒形状（即ち、有底角筒形状）を有する。
【００４０】
蓋板２３１は、ケース本体２３０の開口を塞ぐ板状の部材である。具体的に、蓋板２３１は、Ｚ軸方向から見て、ケース本体２３０の開口周縁部に対応した輪郭形状を有する。即ち、蓋板２３１は、Ｚ軸方向から見て、Ｘ軸方向に長い矩形状の板材である。
【００４１】
蓋板２３１には、ケース２３の内部と外部とを連通させる一対の貫通穴（図示しない）が設けられる。一対の貫通穴のそれぞれは、ケース２３の内部空間に収容された電極体２２と、ケース２３の外部に配置された外部端子２０，２１とを導通させるのに用いられる。具体的に、一対の貫通穴のそれぞれは、蓋板２３１をＺ軸方向（厚さ方向）に貫通する。一対の貫通穴のそれぞれは、Ｘ軸方向における蓋板２３１の両端部に設けられる。即ち、一対の貫通穴は、蓋板２３１においてＸ軸方向に間隔を空けて設けられる。
【００４２】
ケース２３は、ケース本体２３０の開口周縁部と、蓋板２３１の周縁部とを重ね合わせた状態で接合することによって形成される。本実施形態のケース２３では、ケース本体２３０の開口周縁部と蓋板２３１の周縁部とが溶接によって接合されている。これにより、ケース２３（ケース本体２３０及び蓋板２３１）は、電極体２２及び集電体２４，２５を収容する内部空間を画定する。
【００４３】
外部端子２０，２１は、他の蓄電素子２の外部端子２０，２１又は外部機器等と電気的に接続される部位である。本実施形態の蓄電素子２は、一対の外部端子２０，２１を備える。一方の外部端子２０は、一方の集電体（正極集電体）２４を介して電極体２２の正極と導通される正極外部端子であり、他方の外部端子２１は、他方の集電体（負極集電体）２５を介して電極体２２の負極と導通される負極外部端子である。
【００４４】
外部端子２０，２１は、導電性を有し且つ溶接性の高い金属材料によって形成される。例えば、一方の外部端子（正極外部端子）２０は、アルミニウム又はアルミニウム合金等のアルミニウム系金属材料によって形成され、他方の外部端子（負極外部端子）２１は、銅又は銅合金等の銅系金属材料によって形成される。
【００４５】
一対の外部端子２０，２１は、同一形状である。一対の外部端子２０，２１のそれぞれは、図４及び図５に示すように、締結部材４の後述する雄ねじ部４０１を挿通可能に貫通した挿通部（以下、第一挿通部という）２００，２１０を有する。
【００４６】
本実施形態において、一対の外部端子２０，２１のそれぞれは、第一挿通部２００，２１０に加え、自身の外縁で第一挿通部２００，２１０の貫通する方向と直交する方向に開放し、雄ねじ部４０１が自身の軸線を第一挿通部２００，２１０の貫通する方向に合わせた姿勢で通過可能な開放部（以下、第一開放部という）２０１，２１１と、第一挿通部２００，２１０と第一開放部２０１，２１１とを連続させ、雄ねじ部４０１が自身の軸線を第一挿通部２００，２１０の貫通する方向に合わせた姿勢で第一開放部２０１，２１１と第一挿通部２００，２１０との間を移動可能な接続部（以下、第一接続部という）２０２，２１２と、を有する。
【００４７】
具体的に説明すると、一対の外部端子２０，２１のそれぞれは、頭部２０ａ，２１ａと、頭部２０ａ，２１ａから延びる軸部２０ｂ，２１ｂと、を有する。
【００４８】
頭部２０ａ，２１ａは、ケース２３の外側で蓋板２３１に対して直交する方向に広がる部位である。本実施形態において、頭部２０ａ，２１ａは、板状であり、蓋板２３１と直交する方向に広がる。本実施形態において、頭部２０ａ，２１ａは、Ｙ軸方向及びＺ軸方向のそれぞれに広がる。これに伴い、頭部２０ａ，２１ａは、Ｚ軸方向における蓋板２３１側の基端ＰＥと、Ｚ軸方向における基端ＰＥとは反対側の先端Ｔと、Ｙ軸方向における一対の側端ＳＥ，ＳＥと、を含む。本実施形態において、基端ＰＥ、先端Ｔ、及び一対の側端ＳＥ，ＳＥのそれぞれは、直線状である。これにより、頭部２０ａ，２１ａの輪郭は、矩形状である。
【００４９】
本実施形態において、一対の外部端子２０，２１のそれぞれの頭部２０ａ，２１ａは、Ｘ軸方向に貫通した第一挿通部２００，２１０と、Ｙ軸方向に開放した第一開放部２０１，２１１と、第一挿通部２００，２１０と第一開放部２０１，２１１とを連続させる第一接続部２０２，２１２と、を有する。本実施形態において、第一開放部２０１，２１１は、一対の側端ＳＥ，ＳＥのうちの何れか一方の側端ＳＥで開放している。
【００５０】
第一接続部２０２，２１２は、雄ねじ部４０１が第一開放部２０１，２１１を通過する方向と交差する方向に延びる方向変換部（以下、第一方向変換部という）２０２ａ，２１２ａを含む。本実施形態において、第一接続部２０２，２１２は、Ｚ軸方向に延びる第一方向変換部２０２ａ，２１２ａを含む。また、第一接続部２０２，２１２は、第一開放部２０１，２１１と第一方向変換部２０２ａ，２１２ａとを連続させ且つ雄ねじ部４０１が第一開放部２０１，２１１を通過する方向と同方向に延びる連続部（以下、第一連続部という）２０２ｂ，２１２ｂをさらに含んでいる。
【００５１】
すなわち、第一接続部２０２，２１２は、Ｙ軸方向に延びる第一連続部２０２ｂ，２１２ｂと、第一連続部２０２ｂ，２１２ｂと連続し、Ｚ方向に延びる第一方向変換部２０２ａ，２１２ａと、を含む。第一挿通部２００，２１０は、第一開放部２０１，２１１よりもケース２３側に位置している。第一挿通部２００，２１０は、第一方向変換部２０２ａ，２１２ａと直接連続している。これにより、第一接続部２０２，２１２は、第一開放部２０１，２１１と第一挿通部２００，２１０との間でＬ字状に形成される。
【００５２】
外部端子２０，２１において、第一挿通部２００，２１０、第一開放部２０１，２１１、及び第一接続部２０２，２１２のそれぞれは、自身の延びる方向と直交する方向の幅寸法（外面で開放している開放寸法）を有し、それぞれの開放寸法は、雄ねじ部４０１の通過を許容するために、雄ねじ部４０１の外径よりも大きい。
【００５３】
本実施形態において、一対の外部端子２０，２１の第一挿通部２００，２１０同士及び第一接続部２０２，２１２の第一方向変換部２０２ａ，２１２ａ同士がＸ軸方向から見て重複している。また、一対の外部端子２０，２１は、蓋板２３１のＸ軸方向に延びる中心線（図示しない）及び蓋板２３１のＹ軸方向に延びる中心線（図示しない）の交点を通り、且つこれらの中心線と直交する方向（Ｚ軸方向）に延びる仮想線を基準にして、互いの第一挿通部２００，２１０、第一開放部２０１，２１１、及び第一接続部２０２，２１２が回転対称となるように配置される（図３参照）。
【００５４】
これに伴い、一方の外部端子（正極外部端子）２０の第一開放部２０１は、Ｙ軸方向の一方の側端ＳＥで開放し、他方の外部端子（負極外部端子）２１の第一開放部２１１は、Ｙ軸方向の他方の側端ＳＥで開放している。
【００５５】
外部端子２０，２１の軸部２０ｂ，２１ｂは、頭部２０ａ，２１ａの蓋板２３１側の面から蓋板２３１の貫通穴を通じてケース２３の内側に向けて延び、ケース２３内の集電体２４，２５に接続されている。すなわち、一方の外部端子（正極外部端子）２０の軸部２０ｂは、蓋板２３１の貫通穴を通じてケース２３の内側に向けて延び、ケース２３内の一方の集電体（正極集電体）２４に接続され、他方の外部端子（負極外部端子）２１の軸部２１ｂは、蓋板２３１の貫通穴を通じてケース２３の内側に向けて延び、ケース２３内の他方の集電体（負極集電体）２５に接続される。
【００５６】
なお、外部端子２０，２１の軸部２０ｂ，２１ｂとケース２３との間、及び集電体２４，２５とケース２３との間には、絶縁性を有するガスケット２６，２７が介装されている。これにより、外部端子２０，２１とケース２３との間及び集電体２４，２５とケース２３との間の電気絶縁性が確保されるとともに、軸部２０ｂ，２１ｂとケース２３との間の気密性が確保される。
【００５７】
複数の蓄電素子２のそれぞれは、上記構成を有し、図１及び図２に示すように、自身のケース２３（ケース本体２３０）の長壁部２３３ａ，２３３ａを隣の蓄電素子２のケース２３（ケース本体２３０）の長壁部２３３ａ，２３３ａと対向させている。すなわち、複数の蓄電素子２のそれぞれは、自身のケースの閉塞部２３２の短辺を他の蓄電素子２のケース２３の閉塞部２３２の短辺に対して一列に整列させている。これにより、複数の蓄電素子２は、Ｙ軸方向（閉塞部２３２の短辺の延びる方向）に整列している。
【００５８】
また、複数の蓄電素子２のそれぞれは、同一形状であるため、Ｙ軸方向に整列した状態において、自身の外部端子２０，２１を他の蓄電素子２の外部端子２０，２１に対して一列に整列させている。
【００５９】
本実施形態において、各蓄電素子２は、Ｘ軸方向に間隔をあけた一対の外部端子２０，２１を有するため、蓄電装置１は、Ｙ軸方向に複数の外部端子２０，２１を整列させた外部端子群であって、Ｘ軸方向に間隔をあけて配置された二つ（二列）の外部端子群を有する。
【００６０】
本実施形態の蓄電装置１においては、複数の蓄電素子２は、一つおきにＺ軸方向に延びる仮想線を中心に反転（１８０度回転）させて配置されている。これにより、正極外部端子２０及び負極外部端子２１がＹ軸方向で交互に並ぶ外部端子２０，２１の群がＸ軸方向に間隔をあけて二列できている。
【００６１】
そして、上述の如く、一方の外部端子（正極外部端子）２０の第一開放部２０１がＹ軸方向の一方の側端ＳＥで開放するとともに、他方の外部端子（負極外部端子）２１の第一開放部２１１がＹ軸方向の他方の側端ＳＥで開放しているため、複数の蓄電素子２が一つおきにＺ軸方向に延びる仮想線を中心に反転（１８０度回転）させて配置されても、Ｙ軸方向に整列する正極外部端子２０の第一開放部２０１、及び負極外部端子２１の第一開放部２１１（Ｙ軸方向で隣り合う蓄電素子２の正極外部端子２０の第一開放部２０１と負極外部端子２１の第一開放部２１１）が同方向に開放する。すなわち、二列の外部端子２０，２１の群のうちの一列の外部端子２０，２１の群においては、正極外部端子２０の第一開放部２０１及び負極外部端子２１の第一開放部２１１がＹ軸方向の一方側に向けて開放し、そのうちの残りの一列の外部端子２０，２１の群においては、正極外部端子２０の第一開放部２０１及び負極外部端子２１の第一開放部２１１がＹ軸方向の他方側に向けて開放する。
【００６２】
バスバ３は、Ｙ軸方向で隣り合う蓄電素子２の外部端子２０，２１同士を機械的且つ電気的に接続する。本実施形態に係るバスバ３は、図６に示すように、雄ねじ部４０１を挿通可能に貫通した挿通部（以下、第二挿通部という）３００，３１０を有する。本実施形態において、バスバ３は、第二挿通部３００，３１０に加え、自身の外縁で第二挿通部３００，３１０の貫通する方向と直交する方向に開放し、雄ねじ部４０１が自身の軸線を第二挿通部３００，３１０の貫通する方向に合わせた姿勢で通過可能な開放部（以下、第二開放部という）３０１，３１１と、第二挿通部３００，３１０と第二開放部３０１，３１１とを連続させ、雄ねじ部４０１が自身の軸線を第二挿通部３００，３１０の貫通する方向に合わせた姿勢で第二開放部３０１，３１１と第二挿通部３００，３１０との間を移動可能な接続部（以下、第二接続部という）３０２，３１２と、を有する。
【００６３】
より具体的に説明すると、バスバ３は、導電性を有する金属製のプレートである。バスバ３は、Ｙ軸方向に間隔をあけ且つそれぞれがＺ軸方向に延びる一対の第一端Ｅ１，Ｅ１と、Ｚ軸方向に間隔をあけ且つそれぞれがＹ軸方向に延びる一対の第二端Ｅ２，Ｅ２と、を含む。第一端Ｅ１，Ｅ１及び第二端Ｅ２，Ｅ２は、直線状であり、バスバ３の輪郭を矩形状に画定している。本実施形態においては、第一端Ｅ１よりも第二端Ｅ２の方が長く設定されている。これにより、本実施形態のバスバ３は、Ｙ軸方向に長い長方形状である。
【００６４】
バスバ３は、それぞれが異なる蓄電素子２の外部端子２０，２１に連結される一対の連結部３０，３１と、一対の連結部３０，３１を繋ぐ中間部３２と、を有する。一方の連結部３０の外縁には、一対の第一端Ｅ１，Ｅ１のうちの一方の第一端Ｅ１が含まれ、他方の連結部３１の外縁には、一対の第一端Ｅ１，Ｅ１のうちの他方の第一端Ｅ１が含まれる。すなわち、中間部３２は、バスバ３における長手方向の中央部であり、一対の連結部３０，３１は、バスバ３における長手方向の中央部の両側の領域である。すなわち、一対の連結部３０，３１は、中間部３２を挟んで一方向（Ｙ軸方向）に並ぶ。
【００６５】
一対の連結部３０，３１のそれぞれは、外部端子２０，２１に接続された状態で該外部端子２０，２１に重なる領域を含む。これに伴い、一対の連結部３０，３１のそれぞれは、第二挿通部３００，３１０、第二開放部３０１，３１１、第二接続部３０２，３１２を有し、各連結部３０，３１における第二接続部３０２，３１２は、雄ねじ部４０１が第二開放部３０１，３１１を通過する方向と交差する方向に延びる方向変換部（以下、第二方向変換部という）３０２ａ，３１２ａを含む。本実施形態において、各連結部３０，３１における第二接続部３０２，３１２は、第二開放部３０１，３１１と第二方向変換部３０２ａ，３１２ａとを連続させ且つ雄ねじ部４０１が第二開放部３０１，３１１を通過する方向と同方向に延びる連続部（以下、第二連続部という）３０２ｂ，３１２ｂをさらに含んでいる。
【００６６】
より具体的に説明すると、一方の連結部３０の第二開放部３０１は、長手方向（Ｙ軸方向）における一方の第一端Ｅ１で開放している。これに伴い、一方の連結部３０の第二接続部３０２は、Ｚ軸方向に延びる第二方向変換部３０２ａを含む。すなわち、一方の連結部３０の第二接続部３０２は、Ｙ軸方向に延びる第二連続部３０２ｂと、第二連続部３０２ｂと連続し、Ｚ方向に延びる第二方向変換部３０２ａと、を含む。
【００６７】
一方の連結部３０の第二挿通部３００は、当該バスバ３（連結部３０）を外部端子２０，２１に締結した状態において、第二開放部３０１よりもケース２３側に位置するように配置されている。すなわち、第二挿通部３００は、第二開放部３０１よりも一対の第二端Ｅ２，Ｅ２のうちの一方の第二端Ｅ２側に位置している。
【００６８】
第二挿通部３００は、第二方向変換部３０２ａと直接連続している。これにより、第二接続部３０２は、第二開放部３０１と第二挿通部３００との間でＬ字状に形成される。一方の連結部３０における第二挿通部３００、第二開放部３０１、及び第二接続部３０２のそれぞれにおいて、自身の延びる方向と直交する方向の幅寸法（外面で開放している開放寸法）は、雄ねじ部４０１の通過を許容するために、雄ねじ部４０１の外径よりも大きい。
【００６９】
図７及び図８に示すように、バスバ３の一方の連結部３０における第二挿通部３００、第二開放部３０１、及び第二接続部３０２は、隣り合う蓄電素子２のうちの一方の蓄電素子２の外部端子２０，２１における第一挿通部２００，２１０、第一開放部２０１，２１１、及び第一接続部２０２，２１２と一致するように形成される。
【００７０】
図６に戻り、他方の連結部３１の第二開放部３１１は、短手方向（Ｚ軸方向）における他方の第二端Ｅ２で開放している。これに伴い、他方の連結部３１の第二接続部３１２は、Ｙ軸方向に延びる第二方向変換部３１２ａを含む。すなわち、他方の連結部３１の第二接続部３１２は、Ｚ軸方向に延びる第二連続部３１２ｂと、第二連続部３１２ｂと連続し、Ｙ方向に延びる第二方向変換部３１２ａと、を含む。
【００７１】
他方の連結部３１の第二挿通部３１０は、当該バスバ３（連結部３１）を外部端子２０，２１に締結した状態において、第二開放部３１１よりもケース２３側に位置するように配置されている。すなわち、第二挿通部３１０は、第二開放部３１１よりも一対の第二端Ｅ２，Ｅ２のうちの一方の第二端Ｅ２側に位置している。
【００７２】
他方の連結部３１の第二挿通部３１０は、第二方向変換部３１２ａと間接的に連続している。すなわち、他方の連結部３１の第二接続部３１２は、第二方向変換部３１２ａと第二挿通部３１０とを連続させる延長部（以下、第二延長部という）３１２ｃを含む。
【００７３】
本実施形態において、第二連続部３１２ｂは、第二方向変換部３１２ａの一端と連続し、第二延長部３１２ｃは、第二方向変換部３１２ａの他端と連続している。これに伴い、第二延長部３１２ｃは、第二連続部３１２ｂに対してＹ軸方向にずれた位置でＺ軸方向に延びている。これにより、第二接続部３１２は、第二開放部３１１と第二挿通部３１０との間でクランク状に形成される。
【００７４】
他方の連結部３１における第二挿通部３１０、第二開放部３１１、及び第二接続部３１２のそれぞれにおいて、自身の延びる方向と直交する方向の幅寸法（外面で開放している開放寸法）は、雄ねじ部４０１の通過を許容するために、雄ねじ部４０１の外径よりも大きい。
【００７５】
図７及び図８に示すように、バスバ３の他方の連結部３１における第二挿通部３１０及び第二接続部３１２の一部（第二方向変換部３１２ａ及び第二延長部３１２ｃ）は、隣り合う蓄電素子２のうちの他方の蓄電素子２の外部端子２０，２１における第一挿通部２００，２１０、第一開放部２０１，２１１、及び第一接続部２０２，２１２と一致するように形成される。
【００７６】
具体的には、他方の連結部３１と外部端子２０，２１とをＸ軸方向に重ね合わせた状態で、他方の連結部３１及び外部端子２０，２１の挿通部２００，２１０同士が重複することを前提に、他方の連結部３１の第二延長部３１２ｃが外部端子２０，２１の第一方向変換部２０２ａ，２１２ａと重複するとともに、他方の連結部３１の第二方向変換部３１２ａが外部端子２０，２１の第一連続部２０２ｂ，２１２ｂ及び第一開放部２０１，２１１と重複する。
【００７７】
図２に戻り、締結部材４は、大径部４００及び該大径部４００から延出した軸状の雄ねじ部４０１を有する雄ねじ部材４０と、雄ねじ部４０１に螺合した雌ねじ部材４１と、を含む。雄ねじ部材４０の雄ねじ部４０１の外径は、外部端子２０，２１及びバスバ３における挿通部２００，２１０，３００，３１０、開放部２０１，２１１，３０１，３１１、接続部２０２，２１２，３０２，３１２の開放寸法よりも小径である。
【００７８】
これに対し、雄ねじ部材４０の大径部４００及び雄ねじ部材４０の外径は、雄ねじ部４０１の外径よりも大径であり、外部端子２０，２１及びバスバ３における挿通部２００，２１０，３００，３１０、開放部２０１，２１１，３０１，３１１、接続部２０２，２１２，３０２，３１２の開放寸法よりも大径である。
【００７９】
本実施形態において、締結部材４は、汎用品であるボルト（雄ねじ部材４０）・ナット（雌ねじ部材４１）である。
【００８０】
以上のように、本実施形態に係る蓄電装置１は、外部端子２０，２１を有する蓄電素子２と、外部端子２０，２１に接続されるバスバ３と、外部端子２０，２１とバスバ３とを締結する締結部材４と、を備え、締結部材４は、大径部４００及び大径部４００から延出した軸状の雄ねじ部４０１を有する雄ねじ部材４０と、雄ねじ部４０１に螺合する雌ねじ部材４１と、を含み、外部端子２０，２１及びバスバ３は、雄ねじ部４０１を挿通可能に貫通した挿通部２００，２１０，３００，３１０（第一挿通部２００，２１０、第二挿通部３００，３１０）を有し、外部端子２０，２１及びバスバ３の少なくとも何れか一方は、自身の外縁で挿通部２００，２１０（第一挿通部２００，２１０、第二挿通部３００，３１０）の貫通する方向と直交する方向に開放し、雄ねじ部４０１が自身の軸線を挿通部２００，２１０，３００，３１０（第一挿通部２００，２１０、第二挿通部３００，３１０）の貫通する方向に合わせた姿勢で通過可能な開放部２０１，２１１，３０１，３１１（第一開放部２０１，２１１、第二開放部３０１，３１１）と、挿通部２００，２１０，３００，３１０（第一挿通部２００，２１０、第二挿通部３００，３１０）と開放部２０１，２１１，３０１，３１１（第一開放部２０１，２１１、第二開放部３０１，３１１）とを連続させ、雄ねじ部４０１が自身の軸線を挿通部２００，２１０，３００，３１０（第一挿通部２００，２１０、第二挿通部３００，３１０）の貫通する方向に合わせた姿勢で開放部２０１，２１１，３０１，３１１（第一開放部２０１，２１１、第二開放部３０１，３１１）と挿通部２００，２１０，３００，３１０（第一挿通部２００，２１０、第二挿通部３００，３１０）との間を移動可能な接続部２０２，２１２，３０２，３１２（第一接続部２０２，２１２、第二接続部３０２，３１２）と、を有し、接続部２０２，２１２，３０２，３１２（第一接続部２０２，２１２、第二接続部３０２，３１２）は、雄ねじ部４０１が開放部２０１，２１１，３０１，３１１を通過する方向と交差する方向に延びる方向変換部２０２ａ，２１２ａ，３０２ａ，３１２ａ（第一方向変換部２０２ａ，２１２ａ、第二方向変換部３０２ａ，３１２ａ）を含む。
【００８１】
なお、上記説明において、外部端子２０，２１及びバスバ３の接続部２０２，２１２，３０２，３１２の各部位（方向変換部２０２ａ，２１２ａ，３０２ａ，３１２ａ、連続部２０２ｂ，２１２ｂ，３０２ｂ，３１２ｂ、延長部３１２ｃ）の特定に関し、特定した方向（例えば、Ｙ軸方向やＺ軸方向）に「延びる」としているが、この「延びる」とは、各部位が特定した方向で長手になっていることを意味するものではなく、長短に関係なく特定した方向に形成されていることを意味する。すなわち、外部端子２０，２１及びバスバ３の接続部２０２，２１２，３０２，３１２の各部位（方向変換部２０２ａ，２１２ａ，３０２ａ，３１２ａ、連続部２０２ｂ，２１２ｂ，３０２ｂ，３１２ｂ、延長部３１２ｃ）に関して「延びる」とは、自身の中心線が特定した方向に延びるように、各部位（方向変換部２０２ａ，２１２ａ，３０２ａ，３１２ａ、連続部２０２ｂ，２１２ｂ，３０２ｂ，３１２ｂ、延長部３１２ｃ）が形成されていることを意味する。
【００８２】
上記構成によれば、図７及び図８に示すように、雄ねじ部４０１に雌ねじ部材４１を螺合させた状態（雄ねじ部材４０に雌ねじ部材４１を組み付けた状態）で、雄ねじ部材４０の大径部４００と雌ねじ部材４１との間にある雄ねじ部４０１が、自身の軸線を挿通部２００，２１０の貫通する方向に合わせ姿勢で、外部端子２０，２１及びバスバ３の少なくとも何れか一方における開放部２０１，２１１，３０１，３１１（第一開放部２０１，２１１、第二開放部３０１，３１１）から接続部２０２，２１２，３０２，３１２（第一接続部２０２，２１２、第二接続部３０２，３１２）を介して挿通部２００，２１０，３００，３１０（第一挿通部２００，２１０、第二挿通部３００，３１０）に到達する。
【００８３】
従って、雄ねじ部４０１が挿通部２００，２１０，３００，３１０（第一挿通部２００，２１０、第二挿通部３００，３１０）に到達した状態で雌ねじ部材４１を締め付けることで、雄ねじ部材４０の大径部４００と雌ねじ部材４１とが外部端子２０，２１及びバスバ３を挟み込み、外部端子２０，２１及びバスバ３が締結される。
【００８４】
この状態において、雌ねじ部材４１の締め付けを弛めると、雄ねじ部４０１の移動が許容された状態になり、雌ねじ部材４１を螺合させた雄ねじ部４０１は、挿通部２００，２１０，３００，３１０（第一挿通部２００，２１０、第二挿通部３００，３１０）から接続部２０２，２１２，３０２，３１２（第一接続部２０２，２１２、第二接続部３０２，３１２）及び開放部２０１，２１１，３０１，３１１（第一開放部２０１，２１１、第二開放部３０１，３１１）を介して取り外される。
【００８５】
従って、雄ねじ部４０１に対する雌ねじ部材４１の螺合を完全に解除することなく（雄ねじ部４０１から雌ねじ部材４１を完全に取り外すことなく）、外部端子２０，２１とバスバ３との連結及びその解除を行うことができる。
【００８６】
さらに、上記構成によれば、接続部２０２，２１２，３０２，３１２（第一接続部２０２，２１２、第二接続部３０２，３１２）は、雄ねじ部４０１が開放部２０１，２１１，３０１，３１１（第一開放部２０１，２１１、第二開放部３０１，３１１）を通過する方向に対して交差する延びる方向変換部２０２ａ，２１２ａ，３０２ａ，３１２ａ（第一方向変換部２０２ａ，２１２ａ、第二方向変換部３０２ａ，３１２ａ）を含む。
【００８７】
これにより、雄ねじ部４０１が挿通部２００，２１０，３００，３１０（第一挿通部２００，２１０、第二挿通部３００，３１０）に位置する状態において、雌ねじ部材４１の締め付けが弛んだとしても、雄ねじ部材４０（雄ねじ部４０１）が不用意に開放部２０１，２１１，３０１，３１１（第一開放部２０１，２１１、第二開放部３０１，３１１）に向けて移動してしまうことが防止される。
【００８８】
すなわち、開放部２０１，２１１，３０１，３１１（第一開放部２０１，２１１、第二開放部３０１，３１１）と挿通部２００，２１０，３００，３１０（第一挿通部２００，２１０、第二挿通部３００，３１０）との間の雄ねじ部４０１の移動経路である接続部２０２，２１２，３０２，３１２（第一接続部２０２，２１２、第二接続部３０２，３１２）が、開放部２０１，２１１，３０１，３１１（第一開放部２０１，２１１、第二開放部３０１，３１１）と挿通部２００，２１０，３００，３１０（第一挿通部２００，２１０、第二挿通部３００，３１０）との間で直線的にならないため、雄ねじ部４０１が挿通部２００，２１０，３００，３１０（第一挿通部２００，２１０、第二挿通部３００，３１０）から開放部２０１，２１１，３０１，３１１（第一開放部２０１，２１１、第二開放部３０１，３１１）に向けて移動しようとしても、その移動が阻止され、不用意に雄ねじ部材４０が脱落することが防止される。
【００８９】
本実施形態において、接続部２０２，２１２，３０２，３１２（第一接続部２０２，２１２、第二接続部３０２，３１２）は、開放部２０１，２１１，３０１，３１１（第一開放部２０１，２１１、第二開放部３０１，３１１）と方向変換部２０２ａ，２１２ａ，３０２ａ，３１２ａ（第一方向変換部２０２ａ，２１２ａ、第二方向変換部３０２ａ，３１２ａ）とを連続させ且つ雄ねじ部４０１が開放部２０１，２１１，３０１，３１１（第一開放部２０１，２１１、第二開放部３０１，３１１）を通過する方向と同方向に延びる連続部２０２ｂ，２１２ｂ，３０２ｂ，３１２ｂ（第一連続部２０２ｂ，２１２ｂ、第二連続部３０２ｂ，３１２ｂ）をさらに含んでいるため、雄ねじ部材４０の雄ねじ部４０１の移動経路である接続部２０２，２１２，３０２，３１２（第一接続部２０２，２１２、第二接続部３０２，３１２）が屈曲した態様になり、挿通部２００，２１０，３００，３１０（第一挿通部２００，２１０、第二挿通部３００，３１０）に位置する雄ねじ部４０１が開放部２０１，２１１，３０１，３１１（第一開放部２０１，２１１、第二開放部３０１，３１１）に向けて移動することがより確実に防止される。
【００９０】
本実施形態において、蓄電素子２は、電極体２２と、該電極体２２を収容したケース２３と、を更に備え、外部端子２０，２１は、ケース２３の外面から突出し、挿通部２００，２１０，３００，３１０（第一挿通部２００，２１０、第二挿通部３００，３１０）は、開放部２０１，２１１，３０１，３１１（第一開放部２０１，２１１、第二開放部３０１，３１１）よりもケース２３側に位置している。
【００９１】
これにより、ケース２３が外部端子２０，２１よりも下側に位置するように蓄電素子２が配置された場合、接続部２０２，２１２，３０２，３１２（第一接続部２０２，２１２、第二接続部３０２，３１２）が上方側にある開放部２０１，２１１，３０１，３１１（第一開放部２０１，２１１、第二開放部３０１，３１１）から下方に向けて延びた状態になる。従って、雄ねじ部４０１の雄ねじ部４０１（挿通部２００，２１０，３００，３１０（第一挿通部２００，２１０、第二挿通部３００，３１０）に到達した雄ねじ部４０１）は、上方から下方にある挿通部２００，２１０，３００，３１０（第一挿通部２００，２１０、第二挿通部３００，３１０）に落とし込まれた状態になり、雌ねじ部材４１の締め付けに関係なく、雄ねじ部材４０が定常的な挿通部２００，２１０，３００，３１０（位置）で維持する。
【００９２】
さらに、外部端子２０，２１及びバスバ３は、開放部２０１，２１１，３０１，３１１（第一開放部２０１，２１１、第二開放部３０１，３１１）及び接続部２０２，２１２，３０２，３１２（第一接続部２０２，２１２、第二接続部３０２，３１２）を有し、外部端子２０，２１とバスバ３とが重ね合わされた状態で、外部端子２０，２１又はバスバ３の何れか一方（本実施形態においては、外部端子２０，２１）の挿通部２００，２１０，３００，３１０（第一挿通部２００，２１０）、開放部２０１，２１１，３０１，３１１（第一開放部２０１，２１１）、及び接続部２０２，２１２，３０２，３１２（第一接続部２０２，２１２）と、外部端子２０，２１又はバスバ３の何れか他方（本実施形態においては、バスバ３）の挿通部２００，２１０，３００，３１０（第二挿通部３００，３１０）及び接続部２０２，２１２，３０２，３１２（第二接続部３０２，３１２）の少なくとも一部とが一致するため、外部端子２０，２１及びバスバ３を締結するとき、及びその締結を解除するときに、締結部材４（雌ねじ部材４１を螺合させた雄ねじ部材４０の雄ねじ部４０１）が、重ね合わされて一致した外部端子２０，２１及びバスバ３の接続部２０２，２１２，３０２，３１２（第一接続部２０２，２１２、第二接続部３０２，３１２）及び開放部２０１，２１１，３０１，３１１（第一開放部２０１，２１１、第二開放部３０１，３１１）を通過する。従って、締結部材４全体（雄ねじ部４０１に雌ねじ部材４１を螺合させた状態のもの）が操作されるため、作業時におけるハンドリング性が良好となる。
【００９３】
よって、本実施形態に係る蓄電装置１は、蓄電素子２とバスバ３との連結及びその解除にかかる作業を簡便化できるという優れた効果を奏し得る。
【００９４】
なお、本発明は、上記実施形態に限定されるものではなく、本発明の要旨を逸脱しない範囲において、適宜変更を加え得ることは勿論である。
【００９５】
上記実施形態において、蓄電装置１は、隣り合う蓄電素子２の外部端子２０，２１同士を接続するバスバ３のみを備えたが、例えば、蓄電素子２と、蓄電素子２以外の機器等とを電気的に接続するバスバ３を備えてもよい。この場合、図９及び図１０に示すように、バスバ３は、一対の連結部３０，３１を有するが、何れか一方の連結部３０，３１が蓄電素子２の外部端子２０，２１と連結され、何れか他方の連結部３０，３１が蓄電素子２以外の機器等と連結される。
【００９６】
これに伴い、このバスバ３においては、何れか一方の連結部３０，３１及び外部端子２０，２１が挿通部２００，２１０を有するとともに、何れか一方の連結部３０，３１及び外部端子２０，２１の少なくとも何れか一方が、挿通部２００，２１０，３００，３１０と、開放部２０１，２１１，３０１，３１１と、接続部２０２，２１２，３０２，３１２と、を有し、接続部２０２，２１２，３０２，３１２は、雄ねじ部４０１が開放部２０１，２１１，３０２，３１２を通過する方向と交差する方向に延びる方向変換部２０２ａ，２１２ａを含む。この場合においても、外部端子２０，２１及びバスバ３の少なくとも何れか一方において、方向変換部２００ａ，３０２ａが挿通部２００，３００と直接連続してもよいし（図９参照）、方向変換部３１２ａと挿通部３１０とが延長部３１２ｃを介して連続してもよい（図１０参照）。
【００９７】
上記実施形態において、蓄電素子２の外部端子２０，２１及びバスバ３の連結部３０，３１のそれぞれが、挿通部２００，２１０，３００，３１０、開放部２０１，２１１，３０１，３１１、及び接続部２０２，２１２，３０２，３１２を有したが、これに限定されない。
【００９８】
例えば、上記実施形態のように、挿通部２００，２１０、開放部２０１，２１１、及び接続部２０２，２１２が、蓋板２３１のＸ軸方向に延びる中心線（図示しない）及び蓋板２３１のＹ軸方向に延びる中心線の交点を通り、且つこれらの中心線と直交する方向（Ｚ軸方向）に延びる仮想線を基準に回転対称となるように、一対の外部端子２０，２１が配置される場合、図１１に示すように、バスバ３の一対の連結部３０，３１に対し、雄ねじ部４０１を挿通可能な孔で構成される挿通部３００，３１０のみを設けてもよい。
【００９９】
この場合、バスバ３の挿通部（孔）３００，３１０に挿通した雄ねじ部材４０の雄ねじ部４０１に雌ねじ部材４１を螺合させ、雌ねじ部材４１を弛めた状態にしておけば、図１２及び図１３に示すように、雄ねじ部材４０の雄ねじ部４０１を外部端子２０，２１の開放部２０１，２１１から接続部２０２，２１２を介して挿通部２００，２１０にまで誘導でき、また、挿通部２００，２１０から接続部２０２，２１２を介して開放部２０１，２１１にまで誘導できる。
【０１００】
また、上記実施形態のように、バスバ３が挿通部３００，３１０、開放部３０１，３１１及び接続部３０２，３１２を有する場合、蓄電素子２の外部端子２０，２１に対し、雄ねじ部４０１を挿通可能な孔で構成される挿通部２００，２１０のみを設けてもよい。
【０１０１】
この場合、外部端子２０，２１の挿通部２００，２１０（孔）に挿通した雄ねじ部材４０の雄ねじ部４０１に雌ねじ部材４１を螺合させ、雌ねじ部材４１を弛めた状態にしておけば、バスバ３を移動させることで、雄ねじ部材４０の雄ねじ部４０１を、バスバ３（連結部３０，３１）の開放部３０１，３１１から接続部３０２，３１２を介して挿通部３００，３１０にまで誘導でき、また、挿通部３００，３１０から接続部３０２，３１２を介して開放部３０１，３１１にまで誘導できる。
【０１０２】
上記実施形態の蓄電素子２において、蓋板２３１のＸ軸方向に延びる中心線（図示しない）及び蓋板２３１のＹ軸方向に延びる中心線の交点を通り、且つこれらの中心線と直交する方向（第一方向）に延びる仮想線を基準に一対の外部端子２０，２１における挿通部２００，２１０、開放部２０１，２１１、及び接続部２０２，２１２が回転対称となるように一対の外部端子２０，２１が配置されたが、これに限定されない。
【０１０３】
例えば、外部端子２０，２１の開放部２０１，２１１がＹ軸方向の側端ＳＥで開放することを前提に、図１４に示すように、蓄電素子２の一対の外部端子２０，２１の挿通部２００，２１０、開放部２０１，２１１、及び接続部２０２，２１２が、ケース２３のＹ軸方向に延びる中心線及びＺ軸方向に延びる中心線を通る仮想面を基準に対称配置（鏡像配置）されてもよい。すなわち、一対の外部端子２０，２１の開放部２０１，２１１が同方向に開放していてもよい。
【０１０４】
この場合、図１５及び図１６に示すように、隣り合う蓄電素子２の正極外部端子２０と負極外部端子２１とがＹ軸方向で交互に配置されるように、複数の蓄電素子２をＹ軸方向に整列させると、Ｙ軸方向で隣り合う正極外部端子２０の開放部２０１，２１１と負極外部端子２１の開放部２０１，２１１とが向き合う部分と、Ｙ軸方向で隣り合う正極外部端子２０の開放部２０１，２１１と負極外部端子２１の開放部２０１，２１１とが相反する方向に向く部分とが交互にできる。
【０１０５】
そのため、正極外部端子２０及び負極外部端子２１がＹ軸方向で交互に並ぶ二列の外部端子２０，２１の群のうちの一方の外部端子２０，２１の群に適用されるバスバ（以下、第一バスバという）３ａと、二列の外部端子２０，２１の群のうちの他方の外部端子２０，２１の群に適用されるバスバ（以下、第二バスバという）３ｂとが必要となる。
【０１０６】
ここで第一バスバ３ａ及び第二バスバ３ｂについて説明すると、図１７及び図１８に示すように、第一バスバ３ａ及び第二バスバ３ｂのそれぞれは、上記実施形態と同様に、一対の連結部３０ａ，３０ｂ，３１ａ，３１ｂ及び中間部３２ａ，３２ｂを含む。そして、一対の連結部３０ａ，３０ｂ，３１ａ，３１ｂのそれぞれは、雄ねじ部材４０の雄ねじ部４０１を挿通させる挿通部３２０，３３０，３４０，３５０と、外縁で開放した開放部３２１，３３１，３４１，３５１と、挿通部３２０，３３０，３４０，３５０と開放部３２１，３３１，３４１，３５１とを連続させる接続部３２２，３３２，３４２，３５２と、を有する。
【０１０７】
一対の連結部３０ａ，３０ｂ，３１ａ，３１ｂのそれぞれの接続部３２２，３３２，３４２，３５２は、雄ねじ部４０１が開放部３２１，３３１，３４１，３５１を通過する方向と交差する方向に延びる方向変換部３２２ａ，３３２ａ，３４２ａ，３５２ａを含む。また、一対の連結部３０ａ，３０ｂ，３１ａ，３１ｂのそれぞれの接続部３２２，３３２，３４２，３５２は、開放部３２１，３３１，３４１，３５１と方向変換部３２２ａ，３３２ａ，３４２ａ，３５２ａとを連続させ且つ雄ねじ部４０１が開放部３２１，３３１，３４１，３５１を通過する方向と同方向に延びる連続部３２２ｂ，３３２ｂ，３４２ｂ，３５２ｂをさらに含む。
【０１０８】
図１７に示すように、第一バスバ３ａの一方の連結部３０ａの開放部３２１は、長手方向（Ｙ軸方向）における一方の第一端Ｅ１で開放する。これに伴い、一方の連結部３０ａの接続部３２２の方向変換部３２２ａは、Ｚ軸方向に延びる。
【０１０９】
すなわち、一方の連結部３０ａの接続部３２２は、Ｙ軸方向に延びる連続部３２２ｂと、連続部３２２ｂと連続し、Ｚ方向に延びる方向変換部３２２ａと、を含む。一方の連結部３０ａの挿通部３２０は、バスバ３ａ（連結部３０ａ）を外部端子２０，２１に締結した状態において、開放部３２１よりもケース２３側に位置するように配置されている。すなわち、挿通部３２０は、開放部３２１よりも一対の第二端Ｅ２，Ｅ２のうちの一方の第二端Ｅ２側に位置している。挿通部３２０は、方向変換部３２２ａと直接連続している。これにより、接続部３２２は、開放部３２１と挿通部３２０との間でＬ字状に形成される。
【０１１０】
これに対し、第一バスバ３ａの他方の連結部３１ａの開放部３３１は、長手方向（Ｙ軸方向）における他方の第一端Ｅ１で開放している。これに伴い、他方の連結部３１ａの接続部３３２の方向変換部３３２ａは、Ｚ軸方向に延びる。
【０１１１】
すなわち、他方の連結部３１ａの接続部３３２は、Ｙ軸方向に延びる連続部３３２ｂと、連続部３３２ｂと連続し、Ｚ方向に延びる方向変換部３３２ａと、を含む。他方の連結部３１ａの挿通部３３０は、バスバ３ａ（連結部３１ａ）を外部端子２０，２１に締結した状態において、開放部３３１よりもケース２３側に位置するように配置されている。すなわち、挿通部３３０は、開放部３３１よりも一対の第二端Ｅ２，Ｅ２のうちの一方の第二端Ｅ２側に位置している。挿通部３３０は、方向変換部３３２ａと直接連続している。これにより、接続部３３２は、開放部３３１と挿通部３３０との間でＬ字状に形成される。
【０１１２】
第一バスバ３ａにおいて、一対の連結部３０ａ，３１ａの挿通部３２０，３３０、開放部３２１，３３１、及び接続部３２２，３３２は、Ｚ軸方向に延びる中心線を基準に対称配置（鏡像配置）にされる。これにより、図１９に示すように、一対の連結部３０ａ，３１ａが隣り合う二つの蓄電素子２の外部端子２０，２１（開放部２０１，２１１を相反する方向に向ける外部端子２０，２１）に重ね合わされることで、一方の連結部３０ａの挿通部３２０、開放部３２１、及び接続部３２２は、一方の蓄電素子２の外部端子２０の挿通部２００、開放部２０１、及び接続部２０２と一致し、他方の連結部３１ａの挿通部３３０、開放部３３１、及び接続部３３２は、他方の蓄電素子２の外部端子２１の挿通部２１０、開放部２１１、及び接続部２１２と一致する。
【０１１３】
従って、雌ねじ部材４１を螺合させた雄ねじ部材４０の雄ねじ部４０１は、連結部３０ａ，３１ａ及び外部端子２０，２１の開放部２０１，２１１，３２１，３３１から接続部２０２，２１２，３２２，３３２を介して挿通部２００，２１０，３２０，３３０まで誘導される。また、雌ねじ部材４１を螺合させた雄ねじ部材４０の雄ねじ部４０１は、連結部３０ａ，３１ａ及び外部端子２０，２１の挿通部２００，２１０，３２０，３３０から接続部２０２，２１２，３２２，３３２を介して開放部２０１，２１１，３２１，３３１まで誘導される。
【０１１４】
図１８に戻り、第二バスバ３ｂの一方の連結部３０ｂの開放部３４１は、短手方向（Ｚ軸方向）における他方の第二端Ｅ２で開放している。これに伴い、一方の連結部３０ｂの接続部３４２の方向変換部３４２ａは、Ｙ軸方向に延びる。すなわち、一方の連結部３０ｂの接続部３４２は、Ｚ軸方向に延びる連続部３４２ｂと、連続部３４２ｂと連続し、Ｙ方向に延びる方向変換部３４２ａと、を含む。一方の連結部３０ｂの挿通部３４０は、当該バスバ３ｂ（連結部３０ｂ）を外部端子２０，２１に締結した状態において、開放部３４１よりもケース２３側に位置するように配置されている。
【０１１５】
挿通部３４０は、開放部３４１よりも一対の第二端Ｅ２，Ｅ２のうちの一方の第二端Ｅ２側に位置している。本実施形態において、一方の連結部３０ｂの挿通部３４０は、方向変換部３４２ａと間接的に連続している。すなわち、一方の連結部３０ｂの接続部３４２は、方向変換部３４２ａと挿通部３４０とを連続させる延長部３４２ｃを含む。本実施形態において、連続部３４２ｂは、方向変換部３４２ａの一端と連続し、延長部３４２ｃは、方向変換部３４２ａの他端と連続している。これに伴い、延長部３４２ｃは、連続部３４２ｂに対してＹ軸方向にずれた位置でＺ軸方向に延びている。これにより、接続部３４２は、開放部３５１と挿通部３５０との間でクランク状に形成される。
【０１１６】
これに対し、第二バスバ３ｂの他方の連結部３１ｂの開放部３５１は、短手方向（Ｚ軸方向）における他方の第二端Ｅ２で開放している。これに伴い、他方の連結部３１ｂの接続部３５２の方向変換部３５２ａは、Ｙ軸方向に延びる。すなわち、他方の連結部３１ｂの接続部３５２は、Ｚ軸方向に延びる連続部３５２ｂと、連続部３５２ｂと連続し、Ｙ方向に延びる方向変換部３５２ａと、を含む。他方の連結部３１ｂの挿通部３５０は、当該バスバ３ｂ（連結部３１ｂ）を外部端子２０，２１に締結した状態において、開放部３５１よりもケース２３側に位置するように配置されている。
【０１１７】
挿通部３５０は、開放部３５１よりも一対の第二端Ｅ２，Ｅ２のうちの一方の第二端Ｅ２側に位置している。本実施形態において、他方の連結部３１ｂの挿通部３５０は、方向変換部３５２ａと間接的に連続している。すなわち、他方の連結部３１ｂの接続部３５２は、方向変換部３５２ａと挿通部３５０とを連続させる延長部３５２ｃを含む。本実施形態において、連続部３５２ｂは、方向変換部３５２ａの一端と連続し、延長部３５２ｃは、方向変換部３５２ａの他端と連続している。これに伴い、延長部３５２ｃは、連続部３５２ｂに対してＹ軸方向にずれた位置でＺ軸方向に延びている。これにより、接続部３５２は、開放部３５１と挿通部３５０との間でクランク状に形成される。
【０１１８】
そして、第二バスバ３ｂにおいては、一対の連結部３０ｂ，３１ｂの挿通部３４０，３５０、開放部３４１，３５１、及び接続部３４２，３５２は、Ｚ軸方向に延びる中心線を基準に対称配置（鏡像配置）にされる。これにより、図２０に示すように、一対の連結部３０ｂ，３１ｂが隣り合う二つの蓄電素子２の外部端子２０，２１（開放部２０１，２１１を向かい合わせた外部端子２０，２１）に重ね合わされることで、一方の連結部３０ａの挿通部３４０及び接続部３４２の少なくとも一部は、一方の蓄電素子２の外部端子２０の挿通部２００、開放部２０１、及び接続部２０２と一致し、他方の連結部３１ｂの挿通部３５０及び接続部３５２の少なくとも一部は、他方の蓄電素子２の外部端子２１の挿通部２１０、開放部２１１、及び接続部２１２と一致する。
【０１１９】
従って、雌ねじ部材４１を螺合させた雄ねじ部材４０の雄ねじ部４０１は、連結部３０ｂ，３１ｂ及び外部端子２０，２１の開放部２０１，２１１，３４１，３５１から接続部２０２，２１２，３４２，３５２を介して挿通部２００，２１０，３４０，３５０にまで誘導される。また、雌ねじ部材４１を螺合させた雄ねじ部材４０の雄ねじ部４０１は、連結部３０ｂ，３１ｂ及び外部端子２０，２１の挿通部２００，２１０，３４０，３５０から接続部２０２，２１２，３４２，３５２を介して開放部２０１，２１１，３４１，３５１にまで誘導される。
【０１２０】
なお、この場合、二種類のバスバ３ａ，３ｂが必要であるため、製造面やコスト面を考慮すれば、単一のバスバ３で対応できる上記実施形態等が好ましいことは言うまでもない。
【０１２１】
上記実施形態において、外部端子２０，２１の開放部２０１，２１１をＹ軸方向の側端ＳＥで開放させたが、これに限定されない。例えば、図２１〜図２３に示すように、外部端子２０，２１及びバスバ３の開放部２０１，２１１，３０１，３１１をＺ軸方向の先端Ｔで開放させてもよい。この場合、開放部２０１，２１１，３０１，３１１に対する雄ねじ部４０１の通過方向がＺ軸方向になるため、接続部２０２，２１２，３０２，３１２において、連続部２０２ｂ，２１２ｂ，３０２ｂ，３１２ｂは、Ｚ方向に延び、方向変換部２０２ａ，２１２ａ，３０２ａ，３１２ａは、Ｙ軸方向に延びる。
【０１２２】
そして、挿通部２００，２１０，３００，３１０は、方向変換部２０２ａ，２１２ａ，３０２ａ，３１２ａに対し、直接連続してもよいし、間接的に連続してもよい。なお、言うまでもないが、挿通部２００，２１０，３００，３１０が方向変換部２０２ａ，２１２ａ，３０２ａ，３１２ａに対して直接連続する場合、雄ねじ部４０１の移動経路はＬ字状になり（図２１、図２２参照）、挿通部２００，２１０，３００，３１０が方向変換部２０２ａ，２１２ａ，３０２ａ，３１２ａに対して間接的連続する場合（方向変換部２０２ａ，２１２ａ，３０２ａ，３１２ａに連続してＺ軸方向に延びる延長部２０２ｃ，３０２ｃ，２１２ｃ、３１２ｃ）に連続する場合、雄ねじ部４０１の移動経路はクランク状になる（図２３参照）。
【０１２３】
しかし、何れにおいても、雄ねじ部４０１は、開放部２０１，２１１，３０１，３１１から接続部２０２，２１２，３０２，３１２を介して挿通部２００，２１０，３００，３１０に到達でき、また、挿通部２００，２１０，３００，３１０から接続部２０２，２１２，３０２，３１２を介して開放部２０１，２１１，３０１，３１１に到達できる上に、挿通部２００，２１０，３００，３１０から開放部２０１，２１１，３０１，３１１に向かって不用意に移動することが阻止される。
【０１２４】
この場合においても、蓄電素子２における一対の外部端子２０，２１の挿通部２００，２１０、開放部２０１，２１１、及び接続部２０２，２１２が回転対称に配置されれば、バスバ３は一種類となり、また、蓄電素子２における一対の外部端子２０，２１の挿通部２００，２１０、開放部２０１，２１１、及び接続部２０２，２１２が面対称に配置（鏡像配置）されれば、バスバ３が二種類になることは言うまでもない。
【０１２５】
上記実施形態において、蓄電素子２の外部端子２０，２１（頭部２０ａ，２１ａ）がケース２３の外面から突出し、Ｙ軸方向及びＺ軸方向に広がる平板状に形成され、該外部端子２０，２１（頭部２０ａ，２１ａ）に対して挿通部２００，２１０がＸ軸方向に貫通したが、これに限定されない。
【０１２６】
例えば、蓄電素子２の外部端子２０，２１（頭部２０ａ，２１ａ）は、ケース２３の外面から突出し、Ｘ軸方向及びＺ軸方向に広がる平板状に形成され、該外部端子２０，２１（頭部２０ａ，２１ａ）に対して挿通部２００，２１０がＹ軸方向に貫通してもよい。この形態において、外部端子２０，２１に対して開放部２０１，２１１及び接続部２０２，２１２が設けられる場合、開放部２０１，２１１及び接続部２０２，２１２は、挿通部２００，２１０と同方向に貫通することは勿論のことである。また、この形態の外部端子２０，２１が採用される場合、バスバ３は、中間部３２に対して一対の接続部２０２，２１２を直角に曲げた態様にされることも言うまでもない。
【０１２７】
上記実施形態において、外部端子２０，２１の頭部２０ａ，２１ａ全体が板状にされたが、これに限定されない。例えば、外部端子２０，２１の頭部２０ａ，２１ａは、ケース２３の外面から該外面に対して直交方向に延出した第一部位と、該第一部位の先端に接続され、第一部位に対して直角をなす第二部位と、を備え、第二部位に挿通部２００，２１０が設けられたものであってもよい。
【０１２８】
この形態においても、外部端子２０，２１に対して開放部２０１，２１１及び接続部２０２，２１２が設けられる場合、開放部２０１，２１１及び接続部２０２，２１２は、挿通部２００，２１０と同方向に貫通することは勿論のことである。
【符号の説明】
【０１２９】
１…蓄電装置、２…蓄電素子、３…バスバ、３ａ…バスバ（第一バスバ）、３ｂ…バスバ（第二バスバ）、４…締結部材、２０…外部端子（正極外部端子）、２１…外部端子（負極外部端子）、２０ａ，２１ａ…頭部、２０ｂ，２１ｂ…軸部、２２…電極体、２３…ケース、２４…集電体（正極集電体）、２５…集電体（負極集電体）、２６，２７…ガスケット、３０，３１，３０ａ，３０ｂ，３１ａ，３１ｂ…連結部、３２，３２ａ，３２ｂ…中間部、４０…雄ねじ部材、４１…雌ねじ部材、２００，２１０…挿通部（第一挿通部）、２０１，２１１…開放部（第一開放部）、２０２，２１２…接続部（第一接続部）、２０２ａ，２１２ａ…方向変換部（第一方向変換部）、２０２ｂ，２１２ｂ…連続部（第一連続部）、２３０…ケース本体、２３１…蓋板、２３２…閉塞部、２３３…胴部、２３３ａ…長壁部、２３３ｂ…短壁部、３００，３１０，３２０，３３０，３４０，３５０…挿通部（第二挿通部）、３０１，３１１，３２１，３３１，３４１，３５１…開放部（第二開放部）、３０２，３１２，３２２，３３２，３４２，３５２…接続部（第二接続部）、３０２ａ，３１２ａ，３２２ａ，３３２ａ，３４２ａ，３５２ａ…方向変換部（第二方向変換部）、３０２ｂ，３１２ｂ，３２２ｂ，３３２ｂ，３４２ｂ，３５２ｂ…連続部（第二連続部）、３１２ｃ，３４２ｃ，３５２ｃ…延長部（第二延長部）、４００…大径部、４０１…雄ねじ部、Ｅ１…第一端、Ｅ２…第二端、Ｈ…貫通孔、Ｈ１…第一貫通孔（貫通孔）、Ｈ２…第二貫通孔（貫通孔）、ＰＥ…基端、ＳＥ…側端、Ｔ…先端
【図１】
2018106849.tif 000003
【図２】
2018106849.tif 000004
【図３】
2018106849.tif 000005
【図４】
2018106849.tif 000006
【図５】
2018106849.tif 000007
【図６】
2018106849.tif 000008
【図７】
2018106849.tif 000009
【図８】
2018106849.tif 000010
【図９】
2018106849.tif 000011
【図１０】
2018106849.tif 000012
【図１１】
2018106849.tif 000013
【図１２】
2018106849.tif 000014
【図１３】
2018106849.tif 000015
【図１４】
2018106849.tif 000016
【図１５】
2018106849.tif 000017
【図１６】
2018106849.tif 000018
【図１７】
2018106849.tif 000019
【図１８】
2018106849.tif 000020
【図１９】
2018106849.tif 000021
【図２０】
2018106849.tif 000022
【図２１】
2018106849.tif 000023
【図２２】
2018106849.tif 000024
【図２３】
2018106849.tif 000025
【図２４】
2018106849.tif 000026
【図２５】
2018106849.tif 000027